(57)【要約】【課題】製造が容易で、不良品を発生させる虞がなく、且つ、締結作業の容易な締結具を得る。【解決手段】円筒体１２の一端に鍔部１３を備え、且つ、内筒部１４が該鍔部１３方向に拡開するテーパ状に形成された第１締結体１５と、該内筒部１４に嵌合自在の円筒体１６を有し、該円筒体１６の一端に鍔部１７を備え、且つ、該円筒体１６に割り溝１８，１８が形成された第２締結体１９と、該第２締結体１９の内筒部２０に嵌合自在の棒状体２１を有し、該棒状体２１の一端に鍔部２２を備えた第３締結体２３とから成る締結具１１であって、該締結具１１の前記第１締結体１５の円筒体１２を被締結対象物２４に開穿した孔２５内に貫入し、該第１締結体１５の鍔部１３と前記第２締結体１９の鍔部１７間に被締結物２６を挟着する如く該第１締結体１５の内筒部１４内に該第２締結体１９の円筒体１６を圧入し、更に、該第２締結体１９の内筒部２０内に前記第３締結体２３の棒状体２１を圧入して前記被締結物２６を前記被締結対象物２４に締結する。【選択図】  図１
2004270803.tif 000002
【特許請求の範囲】
【請求項１】
円筒体の一端に鍔部を備え、且つ、該円筒体の内筒部が該鍔部方向に拡開するテーパ状に形成された第１締結体と、該内筒部に嵌合自在の円筒体を有し、該円筒体の一端に鍔部を備え、且つ、該円筒体に割り溝が形成された第２締結体と、該第２締結体の内筒部に嵌合自在の棒状体を有し、該棒状体の一端に鍔部を備えた第３締結体とから成る締結具であって、該締結具の前記第１締結体の円筒体を被締結対象物に開穿した孔内に貫入し、該第１締結体の鍔部と前記第２締結体の鍔部間に被締結物を挟着する如く該第１締結体の内筒部内に該第２締結体の円筒体を圧入し、更に、該第２締結体の内筒部内に前記第３締結体の棒状体を圧入して前記第１締結体の円筒体を前記被締結対象物に開穿した孔壁に圧接させ、前記被締結物を前記被締結対象物に締結するように構成したことを特徴とする締結具。
【請求項２】
円筒体の一端に鍔部を備えた第１締結体と、該内筒部に嵌合自在の円筒体を有し、該円筒体の一端に鍔部を備えると共に、該円筒体の内筒部が該鍔部方向に拡開するテーパ状に形成され、且つ、該円筒体に割り溝が形成された第２締結体と、該第２締結体の内筒部に嵌合自在の棒状体を有し、該棒状体の一端に鍔部を備えた第３締結体とから成る締結具であって、該締結具の前記第１締結体の円筒体を被締結対象物に開穿した孔内に貫入し、該第１締結体の鍔部と前記第２締結体の鍔部間に被締結物を挟着する如く該第１締結体の内筒部内に該第２締結体の円筒体を圧入し、更に、該第２締結体の内筒部内に前記第３締結体の棒状体を圧入して前記第１締結体の円筒体を前記被締結対象物に開穿した孔壁に圧接させ、前記被締結物を前記被締結対象物に締結するように構成したことを特徴とする締結具。
【発明の詳細な説明】
【０００１】
【発明の属する技術分野】
この発明は、締結具に関するものであり、特に、例えば、電子機器の筐体にプリント基板等を取り付けるための締結具であって、締結作業の容易化を図った締結具に関するものである。
【０００２】
【従来の技術および発明が解決しようとする課題】
従来の此種締結具として、例えば、樹脂成形品にナットの端面が露出されて埋設される樹脂成形品用インサートナットが知られており（特許文献１参照。）、該インサートナットは、例えば電子機器等の合成樹脂製の筐体と、プリント基板等の構成部材とを固定する場合、該筐体側に埋設され、該インサートナットに金属ネジを螺合させて、該筐体に該構成部材を締結するものであり、合成樹脂製の筐体に直接螺刻する場合に比較して締結強度を向上させることができる。
【０００３】
そして、本願出願人も此種締結具を既に製造しており、該締結具を図４に従って説明する。
【０００４】
図に於て、１は締結具であり、該締結具１は真鍮等から成るインサートナット２とボルト３とから成り、該インサートナット２は電子機器等の合成樹脂製の筐体４が成型される時、端部２ａが露出された状態で埋設されて一体に成型される。
【０００５】
而して、該筐体４にプリント基板等の構成部材５を締結する場合は、前記インサートナット２と前記ボルト３間に該構成部材５を挟着する如く該ボルト３を該インサートナット２に螺着し、該構成部材５を該筐体４に締結する。
【０００６】
然しながら、前記特許文献１の樹脂成型品用インサートナット及び前記締結具１の何れも合成樹脂体の成型時にインサートナットを埋設するものであり、該インサートナットを合成樹脂体に埋設する作業は極めて複雑であり、製造効率が悪く、又、合成樹脂体等に不良品を発生させる虞があり、更に、ボルトで螺着する作業も極めて煩雑である。
【０００７】
そこで、製造が容易で、不良品を発生させる虞がなく、且つ、締結作業の容易な締結具を得るために解決すべき技術的課題が生じてくるのであり、本発明はこの課題を解決することを目的とする。
【０００８】
【特許文献１】
特開２００２−２３４０４７号公報  （第１−４頁、第１−３図）
【０００９】
【課題を解決するための手段】
本発明は上記目的を達成するために提案されたものであり、円筒体の一端に鍔部を備え、且つ、該円筒体の内筒部が該鍔部方向に拡開するテーパ状に形成された第１締結体と、該内筒部に嵌合自在の円筒体を有し、該円筒体の一端に鍔部を備え、且つ、該円筒体に割り溝が形成された第２締結体と、該第２締結体の内筒部に嵌合自在の棒状体を有し、該棒状体の一端に鍔部を備えた第３締結体とから成る締結具であって、該締結具の前記第１締結体の円筒体を被締結対象物に開穿した孔内に貫入し、該第１締結体の鍔部と前記第２締結体の鍔部間に被締結物を挟着する如く該第１締結体の内筒部内に該第２締結体の円筒体を圧入し、更に、該第２締結体の内筒部内に前記第３締結体の棒状体を圧入して前記第１締結体の円筒体を前記被締結対象物に開穿した孔壁に圧接させ、前記被締結物を前記被締結対象物に締結するように構成した締結具、
及び、円筒体の一端に鍔部を備えた第１締結体と、該内筒部に嵌合自在の円筒体を有し、該円筒体の一端に鍔部を備えると共に、該円筒体の内筒部が該鍔部方向に拡開するテーパ状に形成され、且つ、該円筒体に割り溝が形成された第２締結体と、該第２締結体の内筒部に嵌合自在の棒状体を有し、該棒状体の一端に鍔部を備えた第３締結体とから成る締結具であって、該締結具の前記第１締結体の円筒体を被締結対象物に開穿した孔内に貫入し、該第１締結体の鍔部と前記第２締結体の鍔部間に被締結物を挟着する如く該第１締結体の内筒部内に該第２締結体の円筒体を圧入し、更に、該第２締結体の内筒部内に前記第３締結体の棒状体を圧入して前記第１締結体の円筒体を前記被締結対象物に開穿した孔壁に圧接させ、前記被締結物を前記被締結対象物に締結するように構成した締結具を提供するものである。
【００１０】
【発明の実施の形態】
以下、本発明の一実施の形態を図１乃至図３に従って詳述する。先ず、請求項１記載の発明について説明する。図１に於て、１１は締結具であり、該締結具１１はナイロン系の軟質合成樹脂から成り、円筒体１２の一端に鍔部１３を備え、且つ、該円筒体１２の内筒部１４が該鍔部１３方向に拡開するテーパ状に形成された第１締結体１５と、該内筒部１４に嵌合自在の円筒体１６を有し、該円筒体１６の一端に鍔部１７を備え、且つ、該円筒体１６に２箇所の割り溝１８，１８が形成された第２締結体１９と、該第２締結体１９の内筒部２０に嵌合自在の棒状体２１を有し、該棒状体２１の一端に鍔部２２を備えた第３締結体２３とから成る。
【００１１】
而して、前記締結具１１の構成部品である前記第１締結体１５の円筒体１２を例えば電化製品の筐体等である被締結対象物２４に開穿した孔２５内に貫入し、該第１締結体１５の鍔部１３と前記第２締結体１９の鍔部１７間にプリント基板等の被締結物２６を挟着する如く該第１締結体１５の内筒部１４内に該第２締結体１９の円筒体１６を圧入し、更に、該第２締結体１９の内筒部２０内に前記第３締結体２３の棒状体２１を圧入し、前記第１締結体１５の円筒体１２を前記被締結対象物２４に開穿した孔２５壁面に圧接させることにより、前記被締結物２６を前記被締結対象物２４に締結する。
【００１２】
図２は前記締結具１１によって、前記被締結物２６が前記被締結対象物２４に締結された状態を示し、前記第１締結体１５の円筒体１２の内筒部１４が前記鍔部１３方向に拡開するテーパ状に形成されているため、前記第２締結体１９、及び、前記第３締結体２３の圧入により、該第１締結体１５の円筒体１２が外方に押圧されて拡径し、前記孔２５壁面に圧接され、該第１締結体１５が前記被締結対象物２４に固定され、且つ、前記第２締結体１９が該第１締結体１５に固定され、該第３締結体２３が該第２締結体１９に固定され、前記被締結物２６は該第１締結体１５の鍔部１３と該第２締結体１９の鍔部１７に挟着されて固定される。
【００１３】
次に、前記被締結物２６を取り外す時は、前記第３締結体２３の鍔部２２と前記第２締結体１９の鍔部１７間に例えばドライバー等を差し込んで該第３締結体２３を該第２締結体１９から抜き取り、そして、該第２締結体１９を前記第１締結体１５から抜き取ると前記被締結物２６を取り外すことができる。
【００１４】
斯くして、前記締結具１１は前記第２締結体１９、及び、前記第３締結体２３を圧入するだけで締結作業が行え、締結作業が極めて容易となる。又、前記締結具１１は、従来例の如く、前記被締結対象物２４と一体に成型する必要がなく、製造が容易であるため、製造効率が良く、更に、不良品を発生させる虞もない。そして、該締結具１１は被締結物２６を取り外す時、先に、比較的形状が小さく、抜き取る力が小さくて済む第３締結体２３を抜き取るため、被締結物２６を取り外す作業も容易である。
【００１５】
次に、請求項２記載の発明を図３に従って説明する。図に於て、２７は締結具であり、該締結具２７は前記締結具（図１に於て１１）を改良したものであり、第２締結体２８の内筒部２９が鍔部１７方向に拡開するテーパ状に形成され、第１締結体３０の内筒部３１が軸方向に延びる同径の孔状に形成されている。
【００１６】
而して、前記締結具２７の前記第１締結体３０の円筒体３２を例えば被締結対象物２４に開穿した孔２５内に貫入し、該第１締結体３０の鍔部１３と前記第２締結体２８の鍔部１７間に被締結物２６を挟着する如く該第１締結体３０の内筒部３１内に該第２締結体２８の円筒体３３を圧入し、更に、該第２締結体２８の内筒部２９内に前記第３締結体２３の棒状体２１を圧入して前記第１締結体３０の円筒体３２を前記被締結対象物２４に開穿した孔２５壁面に圧接させることにより、前記被締結物２６を前記被締結対象物２４に締結する。
【００１７】
前記締結具２７は、前記第２締結体２８の内筒部２９が前記鍔部１７方向に拡開するテーパ状に形成されているため、前記第３締結体２３の圧入により、該第２締結体２８の円筒体３３が外方に押圧されて拡径し、前記第１締結体３０の円筒体３２が前記被締結対象物２４に圧接されて固定され、且つ、前記第２締結体２８が該第１締結体３０に固定され、前記第３締結体２３が該第２締結体２８に固定され、前記被締結物２６は該第１締結体３０の鍔部１３と該第２締結体２８の鍔部１７に挟着されて固定される。
【００１８】
次に、前記被締結物２６を取り外す時は、前記第３締結体２３の鍔部２２と前記第２締結体２８の鍔部１７間にドライバー等を差し込んで該第３締結体２３を該第２締結体２８から抜き取り、次に、該第２締結体２８を前記第１締結体３０から抜き取ると前記被締結物２６を取り外すことができる。
【００１９】
斯くして、前記締結具２７は前記締結具１１と略同様に被締結物２６を固定することができ、締結作業が極めて容易となると共に、製造が容易であるため、製造効率が良く、更に、不良品を発生させる虞もない。又、前記締結具２７は被締結物２６を取り外す作業も容易である。
【００２０】
尚、前記第２締結体１９，２８に形成される割り溝１８，１８は２箇所に限定されることなく、任意の箇所に適宜個数形成することが可能であり、又、前記第１締結体１５，３０に割り溝を形成することも可能である。
【００２１】
又、本発明は、本発明の精神を逸脱しない限り種々の改変を為すことができ、そして、本発明が該改変されたものに及ぶことは当然である。
【００２２】
【発明の効果】
本発明は上記一実施の形態に詳述したように、請求項１記載の発明は円筒体の一端に鍔部を備え、且つ、該円筒体の内筒部が該鍔部方向に拡開するテーパ状に形成された第１締結体と、該内筒部に嵌合自在の円筒体を有し、該円筒体の一端に鍔部を備え、且つ、該円筒体に割り溝が形成された第２締結体と、該第２締結体の内筒部に嵌合自在の棒状体を有し、該棒状体の一端に鍔部を備えた第３締結体とから成る締結具であるので、前記第１締結体の円筒体を被締結対象物に開穿した孔内に貫入し、該第１締結体の内筒部内に該第２締結体の円筒体を圧入し、更に、該第２締結体の内筒部内に前記第３締結体の棒状体を圧入して前記第１締結体の円筒体を前記被締結対象物に開穿した孔壁に圧接させ、前記被締結物を前記被締結対象物に締結することができ、前記締結具は圧入するだけで締結作業が行え、締結作業が極めて容易となると共に、製造が容易であり、不良品を発生させる虞もない。又、該締結具は被締結物を取り外す作業も容易である。
【００２３】
更に、請求項２記載の発明は、円筒体の一端に鍔部を備えた第１締結体と、該内筒部に嵌合自在の円筒体を有し、該円筒体の一端に鍔部を備えると共に、該円筒体の内筒部が該鍔部方向に拡開するテーパ状に形成され、且つ、該円筒体に割り溝が形成された第２締結体と、該第２締結体の内筒部に嵌合自在の棒状体を有し、該棒状体の一端に鍔部を備えた第３締結体とから成る締結具であるので、請求項１記載の発明と略同様の効果が期待できる等、正に著大なる効果を奏する発明である。
【図面の簡単な説明】
【図１】本発明の一実施の形態を示し、締結前の締結具の正面縦断面図。
【図２】（ａ）本発明の一実施の形態を示し、締結状態の締結具の平面図。
（ｂ）本発明の一実施の形態を示し、締結状態の締結具の正面縦断面図。
【図３】本発明の他の実施の形態を示し、締結前の締結具の正面縦断面図。
【図４】（ａ）従来例を示し、締結状態の締結具の平面図。
（ｂ）従来例を示し、締結状態の締結具の正面縦断面図。
【符号の説明】
１１，２７                  締結具
１２，１６，３２，３３      円筒体
１３，１７，２２            鍔部
１４，２０，２９，３１      内筒部
１５，３０                  第１締結体
１８                        割り溝
１９，２８                  第２締結体
２１                        棒状体
２３                        第３締結体
２４                        被締結対象物
２５                        孔
２６                        被締結物
【図１】
2004270803.tif 000003
【図２】
2004270803.tif 000004
【図３】
2004270803.tif 000005
【図４】
2004270803.tif 000006